(57)【要約】【課題】複数の画像データを用いて複合画像を安定的に生成することが可能な複合機、及び複合機システムを提供する。【解決手段】原稿を読み取るスキャナユニットと、スキャナユニットに読み取られた原稿における文字が記載された特定領域をその位置により判断し、特定画像として抽出する抽出部と、抽出された特定画像を、所定のテンプレートデータにおける複合領域に配置して、複合画像を生成する合成部と、複合画像を出力する出力部と、を有する。【選択図】図１
2010114546.tif 000002
【特許請求の範囲】
【請求項１】
原稿を読み取る読み取り部と、
前記読み取られた原稿における文字が記載された特定領域をその位置により判断し、特定画像として抽出する抽出部と、
前記抽出された特定画像を、所定のテンプレートデータにおける複合領域に配置して、複合画像を生成する合成部と、
前記複合画像を出力する出力部と、を有することを特徴とする複合機。
【請求項２】
前記抽出部は、読み取った原稿における相対的な座標を用いて、前記特定画像の位置を判断することを特徴とする請求項１に記載の複合機。
【請求項３】
前記抽出部は、原稿の種別に応じて特定領域の位置を変更することを特徴とする請求項１又は請求項２のいずれかに記載の複合機。
【請求項４】
前記合成部は、前記テンプレートデータの種別に応じて、前記複合領域の位置を変更することを特徴とする請求項１〜請求項３のいずれか一項に記載の複合機。
【請求項５】
前記合成部は、前記抽出した特定画像を表示するための表示部を有することを特徴とする請求項１〜請求項４のいずれか一項に記載の複合機。
【請求項６】
複数の装置を接続して構成される複合機システムであって、
原稿を読み取る読み取り部と、
前記読み取られた原稿における文字が記載された特定領域をその位置を用いて判断し、特定画像として抽出する抽出部と、
前記抽出された特定画像を、所定のテンプレートデータにおける複合領域に配置して複合画像を生成する合成部と、
前記複合画像を出力する出力部と、を有することを特徴とする複合機システム。
【発明の詳細な説明】
【技術分野】
【０００１】
本発明は、画像データを読み取る複合機及び複合機システムに関し、特に、読み取った画像データを用いて複合画像を生成する複合機及び複合機システムに関する。
【背景技術】
【０００２】
従来、複数の画像データを複合させて複合画像を生成する装置が知られている。具体的には、画像データを取得し、この取得された画像データから特定の文字を抽出し、抽出した文字領域をテンプレートデータに複合することで新たな複合画像を生成する（例えば、特許文献１参照）。
【特許文献１】特表２００７−５１４５６４号公表
【発明の開示】
【発明が解決しようとする課題】
【０００３】
複数の画像データから複合画像を生成する場合、以下のような問題が生じることがある。画像データから所定の文字等を抽出するために、ＯＣＲ（Optical Character Recognition）等の手法を用いて文字を判別する場合がある。しかしながら、ＯＣＲ等の抽出方法は文字を誤認識する場合もあり、必ずしも安定的に複合画像を生成できない場合があった。つまり、装置の誤認識により抽出した文字等がユーザの意図しないものである場合、ユーザは再度、複合画像を生成する必要が生じる。
【０００４】
本発明は、上記課題にかんがみてなされたもので、複数の画像データを用いて複合画像を安定的に生成することが可能な複合機、及び複合機システムを提供する。
【課題を解決するための手段】
【０００５】
上記課題を解決するために、本発明では、原稿を読み取る読み取り部と、読み取った原稿における文字が記載された特定領域をその位置により判断し、特定画像として抽出する抽出部と、前記抽出された特定画像を、所定のテンプレートデータにおける複合領域に配置して複合画像を生成する合成部と、前記複合画像を出力する出力部とを有する構成としてある。
【０００６】
上記のように構成された発明では、抽出部が読み取った原稿における文字が記載された特定領域をその位置により判断し、特定画像として抽出し、合成部が抽出された特定画像を所定のテンプレートデータにおける複合領域に配置して複合画像を生成し、出力部が生成された複合画像を所定の形態で出力する。
そのため、抽出対象となる文字等が記載された領域をその位置により判断し、特定画像として抽出するため、特定領域をＯＣＲ等の手法を用いて抽出せず、文字が誤認識された画像により複合画像を生成するのを防止することができる。
【０００７】
本発明の一局面として、前記抽出部は、読み取った原稿における相対的な座標を用いて、前記特定領域の位置を判断する。
上記のように構成された発明では、特定領域の位置を相対的な座標を用いて判断するため、より安定的に特定領域を抽出することができる。ここで、相対的な座標とは、ある基準点をもとに決定される座標を意味する。例えば、読み取った原稿の角部から一定の座標にある領域を特定領域として判断してもよいし、読み取った原稿の中心点から一定の範囲にある領域を特定領域としてもよい。
【０００８】
本発明の一局面として、前記抽出部は、原稿の種別に応じて特定領域の位置を変更する。
上記のように構成された発明では、読み取られる原稿の種別に応じて、特定領域として抽出する特定画像の位置を変更するため、ユーザは原稿に応じて、抽出する領域を選択する必要がなく、ユーザが複合画像を生成する際の処理を簡素化することができる。
【０００９】
本発明の一局面として、前記合成部は、前記テンプレートデータの種別に応じて、前記複合領域の位置を変更する。
上記のように構成された発明では、特定画像を配置するテンプレートデータに対しても、種別に対応させて複合領域の位置を設定しておくため、ユーザは生成する複合画像に応じて配置する領域を選択する必要がなく、ユーザが複合画像を生成する際の処理を簡素化することができる。
【００１０】
本発明の一局面として、前記合成部は、前記抽出された特定画像を表示するための表示部を有する。
上記のように構成された発明では、ユーザは、抽出された特定画像が意図したものであるか否かを表示部に表示された画像をもとに判断することができるため、より安定的に複合画像を生成することができる。
【００１１】
本発明の他の局面として、複数の装置を接続して構成される複合機システムであって、原稿を読み取る読み取り部と、前記読み取られた原稿における文字が記載された特定領域をその位置を用いて判断し、特定画像データとして抽出する抽出部と、前記抽出された特定画像を、所定のテンプレートデータにおける複合領域に配置して複合画像を生成する合成部と、前記複合画像を出力する出力部とを有する構成としてある。
【発明を実施するための最良の形態】
【００１２】
以下、図を参照しつつ下記の順序に従って本発明の実施形態を説明する。
１．第１の実施形態：
２．第２の実施形態：
３．その他の実施形態：
【００１３】
１．第１の実施形態：
図１は、一実施形態における複合機を示すブロック図である。複合機１００は、ＣＣＤ（Charge Coupled Device）等の撮像素子を用いて原稿をスキャンする（読み取る）スキャナユニット（読み取り部）９０と、スキャンした画像を出力するための出力部とを有している。この出力部は、プリンタユニット７０と、ネットワークＩＦ６０と、ＦＡＸ送信部５０と、で構成されており、ユーザが操作パネルユニット３０を操作して出力形態を選択することで、スキャンした原稿を選択された出力形態に応じて出力することができる。また、複合機１００は、フラッシュメモリ等の外部メモリ４１とカードＩＦ４０を介して接続可能であり、この外部メモリ４１に記憶された所定のデータを読み出すとともに、スキャンした画像を外部メモリ４１に記憶させることも可能である。
【００１４】
更に、ユーザが原稿としての証明書等を複合機１００に読み取らせると、複合機１００はスキャナユニット９０がスキャンした原稿における特定領域を特定画像として抽出し、この抽出された特定画像を外部メモリ４１に記憶されたテンプレートデータと複合させて、複合画像を生成する。この特定領域には、例えば、氏名、住所等の文字情報が記録されており、申請書等に対応するテンプレートデータに複合させることでユーザが文字入力を行わなくとも、テンプレートデータに記録された申請書等に氏名や住所等を入力することができる。
このとき、原稿から抽出される特定画像はＯＣＲ等の手法を用いて文字等の形状を判別することなく抽出されるため、特定画像の抽出の際に誤認識を防止することができる。また、生成された複合画像は、プリンタユニット７０を用いた印刷処理や、ネットワークＩＦ６０を用いてネットワーク上に接続された他の端末に出力される。以下に、複合機１００の構成をより詳細に説明していく。
【００１５】
複合機１００は、前述した各部に加えて、メインコントローラ８０と表示部２０を有している。メインコントローラ８０は、操作パネルユニット３０と、スキャナユニット９０と、各出力部との間に介在するよう各部と接続しており、ユーザが操作パネルユニット３０を操作することで出力される信号をもとに、スキャナユニット９０、プリンタユニット７０、ネットワークＩＦ６０、ＦＡＸ送信部５０、カードＩＦ４０、及び表示部２０の各駆動を制御する。また、表示部２０は、メインコントローラ８０の制御により所定の画像を表示する。
【００１６】
メインコントローラ８０の要部は、ＣＰＵ８１と、ＲＯＭ８２と、ＲＡＭ８３と、画像処理部８４と、で構成されており、各部はバス８５を介して接続されている。また、ＲＯＭ８２には、ＣＰＵ８１が所定の処理を実行するためのプログラムが記憶されており、ＣＰＵ８１は所定のオペレーションシステムのもと上記プログラムを実行することで、画像抽出モジュール８１ａ、複合画像生成モジュール８１ｂ、出力制御モジュール８１ｃとして機能する。
【００１７】
画像抽出モジュール８１ａは、スキャナユニット９０が原稿をスキャンして読み取った画像データから、特定領域を抽出するためのものである。即ち、スキャナユニット９０がスキャンした原稿から相対的な座標を用いて特定領域を識別し、識別した特定領域を特定画像として抽出する。また、原稿における特定領域の位置は、読み込まれる原稿の種別に対応付けて予め設定されている。例えば、スキャン対象の原稿が運転免許書である場合は、運転免許書における氏名又は住所が記載された領域を特定領域として設定する。一方、スキャン対象の原稿が名刺である場合は、名刺における氏名又は会社名が記載された領域を特定領域として設定する。そのため、ユーザは原稿に応じて、抽出する特定領域を選択する必要がなく、ユーザが複合画像を生成する際の処理を簡素化することができる。なお、画像抽出モジュール８１ａにより、抽出部の機能が実現される。
【００１８】
複合画像生成モジュール８１ｂは、画像抽出モジュール８１ａが抽出した特定画像と、外部メモリ４１に記憶されたテンプレートデータとを複合して複合画像を生成するためのものである。即ち、画像抽出モジュール８１ａにより抽出された特定画像をテンプレートデータの複合領域に配置して複合画像を生成する。このとき、テンプレートデータにおける複合領域は、テンプレートデータの種別に応じて予め設定されている。なお、複合画像生成モジュール８１ｂにより、合成部の機能が実現される。
【００１９】
出力制御モジュール８１ｃは、スキャナユニット９０、プリンタユニット７０、ネットワークＩＦ６０、ＦＡＸ送信部５０、及びカードＩＦ４０の駆動を制御するためのものである。即ち、出力制御モジュール８１ｃは、ユーザが操作パネルユニット３０を操作して選択した出力形態に応じて、スキャナユニット９０、プリンタユニット７０、ネットワークＩＦ６０、ＦＡＸ送信部５０、及びカードＩＦ４０を駆動させる。そのため、出力制御モジュール８１ｃ、プリンタユニット７０、ネットワークＩＦ６０、ＦＡＸ送信部５０、及びカードＩＦ４０により、出力部の機能が実現される。
【００２０】
図２は、複合機１００が複合画像を生成する流れを示す流れ図である。図２では、ユーザが運転免許書を複合機１００にスキャンさせて、テンプレートデータにおける申請書の氏名記載欄に運転免許書に記載された名前を配置して複合画像を生成する場合を例に説明を行う。
【００２１】
まず、ユーザが、操作パネルユニット３０を操作して所定の設定を行ない、原稿のスキャン開始を選択すると、複合機１００では、出力制御モジュール８１ｃが、スキャナユニット９０に原稿の読み取りを開始させる（ステップＳ１１０）。このとき、ユーザは、原稿の種別である運転免許書と、テンプレートデータの種別である申請書と、出力形態である印刷処理と、を設定する。また、設定された値は、画像抽出モジュール８１ａに入力される。そして、スキャナユニット９０が読み取った原稿に対応する画像データは、ＲＡＭ８３に記憶される。
【００２２】
出力制御モジュール８１ｃは、表示部２０に対してスキャナユニット９０が読み取った原稿を表示させる（ステップＳ１２０）。具体的には、出力制御モジュール８１ｃは、ＲＡＭ８３に記憶された画像データを読み出し表示部２０に出力し、画像データを表示させる。ユーザは、表示部２０に表示された原稿を確認することで、スキャンされた原稿がユーザの意図するものであるか否かの判別を行う。
【００２３】
表示部２０に表示された原稿がユーザの意図するものでない場合、ユーザが操作パネルユニット３０を操作して原稿の再スキャンを選択すると（ステップＳ１３０）、出力制御モジュール８１ｃは、スキャナユニット９０に対して再度、原稿のスキャンを開始させる（ステップＳ１１０）。
【００２４】
画像抽出モジュール８１ａは、スキャンされた原稿に対応する画像データに対して特定領域の抽出を行う（ステップＳ１４０）。具体的には、画像抽出モジュール８１ａは、ＲＡＭ８３に記憶された画像データにおける相対的な座標を用いて特定領域の位置を識別し、識別した特定領域を特定画像として抽出する。
【００２５】
図３は、ステップＳ１４０で画像抽出モジュール８１ａが実行する処理を詳細に示す流れ図である。また、図４は、ＲＡＭ８３に記憶された画像データを示すイメージ図である。図４では、斜線で示す矩形で囲まれた領域を特定領域Ｒ１とする。この特定領域Ｒ１は、運転免許書における氏名が記載された領域である。
【００２６】
まず、画像抽出モジュール８１ａは、画像データにおける原稿領域Ｍを識別する（ステップＳ１４１）。具体的には、画像抽出モジュール８１ａは、記憶された画像データから、原稿領域Ｍの輪郭をテンプレートマッチングの手法を用いて識別する。このテンプレートマッチングにより用いられるパラメータ等は、ステップＳ１１０でユーザが選択した原稿の種別に応じて選択されるものである。画像抽出モジュール８１ａは、テンプレートマッチングの手法を用いて原稿領域の対角Ｃ１，Ｃ２を判断する。
【００２７】
画像抽出モジュール８１ａは、特定領域Ｒ１の位置を識別する（ステップＳ１４２）。具体的には、画像抽出モジュール８１ａは、ステップＳ１４１で判断した原稿領域の対角Ｃ１，Ｃ２からの相対的な座標を用いて、特定領域Ｒ１の位置を求める。より具体的には、原稿領域の対角Ｃ１，Ｃ２から一定距離にある座標領域を特定領域Ｒ１の対角とし、この対角に囲まれる矩形領域を特定領域Ｒ１とする。ここで、特定領域Ｒ１の位置を相対的な座標を用いて判断すれば、より安定的に特定領域を特定画像として抽出することができる。
【００２８】
画像抽出モジュール８１ａは、識別した特定領域Ｒ１を特定画像として抽出する（ステップＳ１４３）。画像抽出モジュール８１ａは、抽出した特定画像をＲＡＭ８３に記憶する。
【００２９】
出力制御モジュール８１ｃは、表示部２０に対して抽出した特定画像を表示させる（ステップＳ１５０）。ユーザは、表示部２０に表示された特定画像を確認し、抽出された画像が意図したものでなければ（ステップＳ１６０）、操作パネルユニット３０を操作して、原稿の再スキャンを選択する（ステップＳ１１０）。
【００３０】
ユーザが操作パネルユニット３０を操作して抽出した特定画像の保存を選択すると（ステップＳ１７０）、出力制御モジュール８１ｃは、抽出した特定画像を外部メモリ４１に記憶する（ステップＳ１８０）。このとき、記憶された特定画像を、テキストデータとして変換するものであってもよい。ここで、特定画像をテキストデータに変換して保存すれば、変換後の特定画像を再利用し易くすることができる。
【００３１】
複合画像生成モジュール８１ｂは、外部メモリ４１に記憶されたテンプレートデータと、抽出された特定画像とを複合して、複合画像を生成する（ステップＳ１９０）。特定画像が複合されるテンプレートデータの種別は、ステップＳ１１０で選択された申請書である。
【００３２】
図５は、ステップＳ１９０で複合画像生成モジュール８１ｂが実行する処理を詳細に示す流れ図である。また、図６は、一実施形態としてのテンプレートデータを示すイメージ図である。そして、図７は、一実施形態としての複合画像を示すイメージ図である。図６では、斜線で示す矩形で囲まれた複合領域Ｒ２にステップＳ１４０で抽出された特定画像が配置されて複合画像が生成される場合を想定する。
【００３３】
複合画像生成モジュール８１ｂは、テンプレートデータにおける複合領域Ｒ２を識別する（ステップＳ１９１）。テンプレートデータにおける複合領域Ｒ２は、ステップＳ１１０で選択されたテンプレートデータの種別に応じて決定されるものである。つまり、選択されたテンプレートデータが申請書である場合は、複合領域Ｒ２は申請書における氏名記載欄に設定されている。つまり、ユーザは生成する複合画像に応じて配置する領域を選択する必要がなく、ユーザが複合画像を生成する際の処理を簡素化することができる。無論、テンプレートデータにおける複合領域Ｒ２の位置をユーザが任意に設定する構成としてもよい。
【００３４】
複合画像生成モジュール８１ｂは、ステップＳ１４０で取得した特定画像のサイズが複合領域Ｒ２内に収まるよう調整する（ステップＳ１９２）。具体的には、複合画像生成モジュール８１ｂは、特定画像の縦方向及び横方向の各画素数と、複合領域Ｒ２の縦方向及び横方向の画素数を比較し、この比較結果に応じて特定画像の各画素数を複合領域Ｒ２の各画素数と一致するよう変換する。
【００３５】
複合画像生成モジュール８１ｂは、テンプレートデータにおける複合領域Ｒ２に特定画像を配置し、複合画像を生成する（ステップＳ１９３）。そのため、特定画像に記録された「特許太朗」の文字が、複合領域Ｒ２としての氏名記載欄に配置されるよう複合された複合画像が生成される（図７）。
【００３６】
ステップＳ１１０で、ユーザが出力形態として印刷処理を選択しているため、出力制御モジュール８１ｃはプリンタユニット７０に対して複合画像を印刷処理させる（ステップＳ１９５）。このとき、出力制御モジュール８１ｃは、画像処理部８４に生成された複合画像に対して色変換等の画像処理を実行させ、処理後の複合画像をプリンタユニット７０に印刷処理させる。一方、ステップＳ１１０でユーザが他の出力形態を選択している場合は、選択された出力形態に合わせて複合画像が出力される。以上、第１の実施形態に係る複合機１００を説明した。
【００３７】
２．第２の実施形態：
本発明は、複数の装置により実現されるものであってもよい。図８は、第２の実施形態に係る複合機システム２００を説明するブロック構成図である。即ち、第２の実施形態では、本発明は、原稿を読み取るためのスキャナ装置３００と、印刷処理を実行するためのプリンタ装置４００と、スキャナ装置３００とプリンタ装置４００との間に所定のインタフェースを介して接続されたパーソナルコンピュータ（以下、ＰＣと記載する）５００により構成されている。
【００３８】
以下、ＰＣ５００の構成を説明する。ＰＣ５００の要部は、ユーザからの操作入力を受け付けるキーボード５０１と、主たる制御を行うマザーボード５１０と、所定のプログラムを記憶するためのＨＤＤ（Hard Disk Drive）５２０と、所定の画像を表示するためのディスプレイ５０２と、外部メモリ５３１と接続するためのメモリＩＦ５３０と、で構成されている。また、マザーボード５１０は、ＣＰＵ５１１と、ＲＡＭ５１２と、スキャナ装置３００及びプリンタ装置４００と接続するためのスキャナＩＦ５１３，プリンタＩＦ５１４と、画像処理部５１５と、を備えている。そして、マザーボード５１０を構成する各部はバス５１６を通じて接続されている。
【００３９】
ＨＤＤ５２０はマザーボード５１０と接続しており、ＣＰＵ５１１が所定の処理を実行するためのプログラムが記憶されている。ＨＤＤ５２０には、ＣＰＵ５１１がスキャナ装置３００の駆動を制御するためのドライバモジュール５１１ｄとして機能するためのプログラムと、プリンタ装置４００の駆動を制御するためのドライバモジュール５１１ｅとして機能するためのプログラムが記憶されている。そのため、このプログラムにより、ユーザがキーボード５０１を操作することでスキャナ装置３００及びプリンタ装置４００の駆動を制御することができる。また、ＨＤＤ５２０には、第１の実施形態同様、ＣＰＵ５１１が所定のオペレーションシステムのもと、画像抽出モジュール５１１ａ、複合画像生成モジュール５１１ｂ、出力制御モジュール５１１ｃとして機能するためのプログラムが記憶されている。
【００４０】
図９は、複合機システム２００により実行される複合画像を生成する流れを示す流れ図である。図９では、第１の実施形態同様、ユーザがスキャナ装置３００に原稿として運転免許書をスキャンさせて、プリンタ装置４００に複合画像として氏名が記録された申請書を印刷処理させる場合を例に説明を行う。
【００４１】
ユーザは、キーボード５０１を操作して、ディスプレイ５０２に表示されたアイコンを選択し、複合画像生成のための設定を行った後、原稿のスキャン開始を選択すると、ＰＣ５００では、ドライバモジュール５１１ｄが、スキャナユニット９０に原稿の読み取りを開始させる（ステップＳ２１０）。このとき、ユーザが設定する項目は、第１の実施形態同様、原稿の種別である運転免許書と、テンプレートデータの種別である申請書と、出力形態である印刷処理である。スキャナ装置３００がスキャンした原稿に対応する画像データは、ＰＣ５００に出力されＲＡＭ５１２に記憶される。
【００４２】
出力制御モジュール５１１ｃは、ディスプレイ５０２にスキャンされた原稿に対応する画像データを表示させる（ステップＳ２２０）。ユーザは、ディスプレイ５０２に表示された原稿を確認することで、スキャンされた原稿がユーザが意図するものであるか否かの判別を行う。無論、ディスプレイ５０２に表示されたものがユーザの意図とするものと異なる場合は、ユーザはキーボード５０１を操作して、原稿の再スキャンを選択する（ステップＳ２３０）。
【００４３】
画像抽出モジュール５１１ａは、記憶された画像データに対して特定領域の抽出を行う（ステップＳ２４０）。具体的な構成は第１の実施形態と同一であるため、説明を省略する。
【００４４】
ユーザの操作に応じて、出力制御モジュール５１１ｃは、ディスプレイ５０２に対して抽出した特定画像を表示させる（ステップＳ２５０、Ｓ２６０）。
【００４５】
ユーザがキーボード５０１を操作して抽出した特定画像の保存を選択すると（ステップＳ２７０）、出力制御モジュール５１１ｃは、抽出した特定画像をＨＤＤ５２０又は外部メモリ５３１に記憶する（ステップＳ２８０）。
【００４６】
複合画像生成モジュール５１１ｂは、複合領域外部メモリ５３１に記憶されたテンプレートデータと、抽出された特定画像とを複合して、複合画像を生成する（ステップＳ２９０）。以下、第１の実施形態と同一であるため、説明を省略する。
【００４７】
ステップＳ２１０で、ユーザが出力形態として印刷処理を選択しているため、ドライバモジュール５１１ｅはプリンタ装置４００に対して複合画像を印刷処理させる（ステップＳ２９５）。そのため、プリンタ装置４００からは、申請書の氏名記載欄に氏名が記載された画像が用紙に記録されて出力する。以上、第２の実施形態に係る複合機システム２００を説明した。
【００４８】
３．その他の実施形態：
本発明は、様々な実施形態が存在する。
テンプレートデータに配置される特定画像の数は、１つに限定されない。即ち、特定の原稿における複数の特定領域を特定画像として抽出し、各特定画像をテンプレートデータにおける複数の複合領域に配置させて複合画像を生成するものであってもよい。
【００４９】
特定領域を識別するために用いられる相対的な座標は、ある基準点をもとに決定される座標であればよい。つまり、第１の実施形態のように読み取った原稿の角部から一定の座標にある領域を特定領域として判断してもよいし、読み取った原稿の中心点から一定の範囲にある領域を特定領域としてもよい。
【００５０】
また、複合機システム２００を構成する各装置は、第２の実施形態に記載されたものに限定されない。つまり、ＰＣがネットワークに接続されている場合は、ＰＣからネットワークを通じて各端末に複合画像を出力すればよく、出力装置としてプリンタ装置が存在しなくともよい。
【００５１】
以上説明したように、本発明に係る複合機及び複合機システムでは、抽出対象となる文字等が記載された特定領域を特定画像として抽出するため、原稿をＯＣＲ等で変換して画像データの抽出を行わず、誤認識された画像により複合画像を生成するのを防止することができる。
【００５２】
なお、本発明は上記実施例に限られるものでないことは言うまでもない。つまり、上記実施例の中で開示した相互に置換可能な部材および構成等を適宜その組み合わせを変更して適用すること上記実施例の中で開示されていないが、公知技術であって上記実施例の中で開示した部材および構成等と相互に置換可能な部材および構成等を適宜置換し、またその組み合わせを変更して適用すること、上記実施例の中で開示されていないが、公知技術等に基づいて当業者が上記実施例の中で開示した部材および構成等の代用として想定し得る部材および構成等と適宜置換し、またその組み合わせを変更して適用すること、は本発明の一実施例として開示されるものである。
【図面の簡単な説明】
【００５３】
【図１】一実施形態における複合機を示すブロック図である。
【図２】複合機１００が複合画像を生成する流れを示す流れ図である。
【図３】ステップＳ１４０で画像抽出モジュール８１ａが実行する処理を詳細に示す流れ図である。
【図４】ＲＡＭ８３に記憶された画像データを示すイメージ図である。
【図５】ステップＳ１９０で複合画像生成モジュール８１ｂが実行する処理を詳細に示す流れ図である。
【図６】一実施形態としてのテンプレートデータを示すイメージ図である。
【図７】一実施形態としての複合画像を示すイメージ図である。
【図８】第２の実施形態に係る複合機システム２００を説明するブロック構成図である。
【図９】複合機システム２００により実行される複合画像を生成する流れを示す流れ図である。
【符号の説明】
【００５４】
２０…表示部、３０…操作パネルユニット、４０（５３０）…メモリＩＦ、４１（５３１）…外部メモリ、５０…ＦＡＸ送信部、７０…プリンタユニット、８０…メインコントローラ、８１…ＣＰＵ、８１ａ（５１１ａ）…画像抽出モジュール、８１ｂ（５１１ｂ）…複合画像生成モジュール、８１ｃ（５１１ｃ）…出力制御モジュール、８２…ＲＯＭ、８３…ＲＡＭ、８４…画像処理部、８５…バス、９０…スキャナユニット、１００…複合機、３００…スキャナ装置、４００…プリンタ装置、５００…ＰＣ、５０１…キーボード、５０２…ディスプレイ、５１０…マザーボード、５１１…ＣＰＵ、５１１ｄ，５１１ｅ…ドライバモジュール、５１２…ＲＡＭ、５１３…スキャナＩＦ、５１４…プリンタＩＦ、５１５…画像処理部
【図１】
2010114546.tif 000003
【図２】
2010114546.tif 000004
【図３】
2010114546.tif 000005
【図４】
2010114546.tif 000006
【図５】
2010114546.tif 000007
【図６】
2010114546.tif 000008
【図７】
2010114546.tif 000009
【図８】
2010114546.tif 000010
【図９】
2010114546.tif 000011